(57)【要約】【課題】ネットワークを介して表示されるウェブページのなかで、ユーザにとって現在興味のあるウェブページをテレビを見るような感覚で、受動的に見て楽しむことが可能な方法を提供する。【解決手段】ユーザがブックマーク登録を所望したウェブページのＵＲＬ情報をユーザ端末３０が受け付け、受け付けたＵＲＬ情報をサーバ１０へ送信し、サーバ１０が、受信したＵＲＬ情報を、ウェブページの特徴を示すカテゴリごとに分類する。そして、カテゴリごとに分類されたＵＲＬ情報と、ユーザ端末３０に表示する順番を決定する表示スケジュールとを対応付けて、表示スケジュール情報に基づきＵＲＬ情報に対応したウェブページをユーザ端末３０に表示する。【選択図】図３
2010092183.tif 000002
【特許請求の範囲】
【請求項１】
ユーザ端末と、当該ユーザ端末とネットワークを介して接続されたサーバ装置とが実行するウェブページ配信方法であって、
ブックマーク登録を所望したウェブページのＵＲＬ情報を前記ユーザ端末が受け付け、前記ＵＲＬ情報を前記サーバ装置へ送信するステップと、
前記サーバ装置が、前記ＵＲＬ情報を受信し、前記受信したＵＲＬ情報を、ウェブページの特徴を示すカテゴリごとに分類するステップと、
前記カテゴリごとに分類された前記ＵＲＬ情報と、前記ユーザ端末に表示する順番を決定する表示スケジュール情報とを対応付けて、前記表示スケジュールに基づいて、前記ＵＲＬ情報に対応したウェブページを前記ユーザ端末に表示するステップと、
を含んで構成されることを特徴とするウェブページ配信方法。
【請求項２】
前記サーバ装置へ送信するステップでは、前記ウェブページが前記ユーザ端末にランダムに選択され、表示される場合に、前記ユーザが前記ブックマーク登録を所望したウェブページが表示されている間に、ブックマークが選択されることで、前記ＵＲＬ情報が前記サーバ装置へ送信されることを特徴とする請求項１に記載のウェブページ配信方法。
【請求項３】
前記分類するステップでは、前記カテゴリ情報を予め定められた数まで前記ＵＲＬ情報に基づいて作成し、前記ＵＲＬ情報に基づいて作成された前記カテゴリ情報の数が前記予め定められた数を超えた場合には、新たに予備カテゴリ情報を作成し、前記カテゴリ情報のなかで前記カテゴリ情報に分類された前記ＵＲＬ情報の数が最も少ない前記カテゴリ情報を前記予備カテゴリ情報に含めることを特徴とする請求項１または２に記載のウェブページ配信方法。
【請求項４】
前記分類するステップでは、前記予備カテゴリ情報に含まれる、前記ＵＲＬ情報の数が最も多い前記カテゴリ情報と、前記予備カテゴリ情報に含まれない、前記ＵＲＬ情報の数が最も少ない前記カテゴリ情報とを比較し、前記予備カテゴリ情報に含まれない前記カテゴリ情報の前記ＵＲＬ情報の数が少ない場合には、前記予備カテゴリ情報に含まれる前記カテゴリ情報と前記予備カテゴリ情報に含まれない前記カテゴリ情報とを交換することを特徴とする請求項３に記載のウェブページ配信方法。
【請求項５】
前記分類するステップでは、前記カテゴリ情報内の前記ＵＲＬ情報に基づいて副カテゴリ情報を抽出し、抽出された前記副カテゴリ情報が少なくとも二つ以上になった場合には、前記カテゴリ情報内に前記副カテゴリ情報を生成することを特徴とする請求項１乃至４の何れか一項に記載のウェブページ配信方法。
【請求項６】
前記分類するステップでは、前記カテゴリ情報を前記ＵＲＬ情報に対応する前記ウェブページからＴＦ（Ｔｅｒｍ  Ｆｒｅｑｕｅｎｃｙ）ＩＤＦ（Ｉｎｖｅｒｓｅ  Ｄｏｃｕｍｅｎｔ  Ｆｒｅｑｕｅｎｃｙ）によって特定される特徴的な単語に基づいて作成することを特徴とする請求項１乃至５の何れか一項に記載のウェブページ配信方法。
【請求項７】
前記分類するステップでは、前記カテゴリ情報に分類された前記ＵＲＬ情報および前記予備カテゴリ情報に分類された前記ＵＲＬ情報が送信された時刻から予め定められた時間が経過すると、前記ＵＲＬ情報を削除することを特徴とする請求項１乃至６の何れか一項に記載のウェブページ配信方法。
【請求項８】
ユーザ端末と、ウェブページを配信するウェブサーバと、サーバ装置と、が互いにネットワークを介して接続され構成されるウェブページ配信システムであって、
前記ユーザ端末は、ブックマーク登録を所望したウェブページのＵＲＬ情報を受け付け、前記ＵＲＬ情報を前記サーバ装置へ送信するＵＲＬ情報送信手段を備え、
前記サーバ装置は、前記ＵＲＬ情報を受信し、前記受信したＵＲＬ情報を、ウェブページの特徴を示すカテゴリごとに分類する分類手段を備え、
前記ユーザ端末は、前記カテゴリごとに分類された前記ＵＲＬ情報と、前記ユーザ端末に表示する順番を決定する表示スケジュール情報とを対応付けて、前記表示スケジュールに基づいて、前記ＵＲＬ情報に対応したウェブページを表示することを特徴とするウェブページ配信システム。
【請求項９】
請求項１乃至７の何れかに記載の方法をコンピュータに実行させることを特徴とするプログラム。
【発明の詳細な説明】
【技術分野】
【０００１】
本発明は、ネットワークを経由してユーザ端末に表示されるウェブページ配信方法、ウェブページ配信システム、及びそのプログラムの技術に関する。
【背景技術】
【０００２】
ユーザ端末からインターネット上の所定のウェブページにアクセスするためには、ウェブページのサイトのアドレスであるＵＲＬ（Ｕｎｉｆｏｒｍ  Ｒｅｓｏｕｒｃｅ  Ｌｏｃａｔｏｒ）を入力する必要がある。しかし、アクセスの度にＵＲＬを入力することは煩雑であるため、何度も訪れるサイトのＵＲＬについては予め登録しておき、登録されたＵＲＬ（登録されたＵＲＬをブックマークという）を選択することで目的のサイトにアクセスしていた。
【０００３】
このように、従来、登録されたブックマークを使って、所望のコンテンツに到達するためには、一覧表で管理されたブックマーク一覧を目で追って、所望のブックマークを探していた。
【０００４】
たとえば、ブックマーク一覧を並び替えることで見やすくし、ブックマークごとに、参照日時および参照回数を記録し、参照時間順、参照頻度順またはアドレス名のアルフアベツト順にブックマークを並び替えて、ブックマークの読み易さを向上させる技術が開示されている。（特許文献１参照）
【０００５】
また、１つのブックマークを起点にして、芋づる式にブックマークを目で辿れるようにするもので、ブックマーク情報に、閲覧文書に関連する文書の連鎖情報テーブルを設けて、関連性の高い文書情報の提供を支援する技術が開示されている（特許文献２参照）。
【０００６】
また、他人が登録しブックマークを活用して所望のブックマークを探すもので、収集したブックマークを、ブックマーク管理サーバで共有して、情報の充実度を向上させる技術が開示されている。（特許文献３参照）
【特許文献１】特願平１０−３３４１２０号公報
【特許文献２】特開平１１−２９６５２９号公報
【特許文献３】特開２００３−６７３２８号公報
【発明の開示】
【発明が解決しようとする課題】
【０００７】
しかし、特許文献１では、よく利用するブックマークは、上位に表示されて参照しやすくなるが、あまり利用されない情報には、即座にアクセスすることが出来にくくなるという欠点がある。また、特許文献２では、ブックマークの関連性は、視覚的には一目瞭然であるが、関連性をつける作業に負荷がかかるという欠点がある。
【０００８】
更に、特許文献３では、サーバーで一括管理しているブックマーク情報は、大量になるために、目視して選択して、所望の情報を選び出す作業の負荷が大きくかかってしまう。
【０００９】
また、特許文献１、特許文献２および特許文献３は、ブックマーク検索者が、ブックマークを自ら指定して、その内容を表示閲覧させて、目視確認をする必要があるために、確認作業の手間と目視確認時間を要するという欠点があった。
【００１０】
本発明はこのような従来技術を考慮してなされたものであって、本発明の課題は、テレビを見るような感覚で受動的にユーザが所望する最新のウェブページを視認できるウェブページ配信方法、システムを提供することである。
【課題を解決するための手段】
【００１１】
（１）  ユーザ端末と、当該ユーザ端末とネットワークを介して接続されたサーバ装置とが実行するウェブページ配信方法であって、
ブックマーク登録を所望したウェブページのＵＲＬ情報を前記ユーザ端末が受け付け、前記ＵＲＬ情報を前記サーバ装置へ送信するステップと、
前記サーバ装置が、前記ＵＲＬ情報を受信し、前記受信したＵＲＬ情報を、ウェブページの特徴を示すカテゴリごとに分類するステップと、
前記カテゴリごとに分類された前記ＵＲＬ情報と、前記ユーザ端末に表示する順番を決定する表示スケジュール情報とを対応付けて、前記表示スケジュールに基づいて、前記ＵＲＬ情報に対応したウェブページを前記ユーザ端末に表示するステップと、
を含んで構成されることを特徴とするウェブページ配信方法。
【００１２】
（１）に係る発明によれば、上述のような構成を有することにより、ユーザが（リモコン、マウス等のユーザインターフェースを介して）ブックマーク登録を所望するウェブページに対応するＵＲＬ情報を受信し、ＵＲＬ情報を分類し、分類されたＵＲＬ情報を表示スケジュール（ウェブマイチャンネル情報）とし、所定のタイミングで、ユーザ端末３０は表示スケジュールに基づいて、ウェブページを表示する。
【００１３】
このようにして、（１）に係る発明によれば、ユーザは、ブックマークするだけで、ウェブページのチャンネルを構成し、視認することが可能となるため、ウェブページを受動的に視認することができる。さらに、登録されたブックマークは、カテゴリに分類されるため、表示したいカテゴリに応じたウェブページを視認することができる。さらに、ブックマークをするだけで、好みのウェブページの最新のページを視認することができるので、コンピュータの操作に不慣れな初心者であっても簡単かつ迅速に所望のコンテンツ（目的のブックマークに関するウェブページ）をテレビを見るような感覚で扱うことが可能になる。
【００１４】
すなわち、ネットワークを介して表示されるウェブページのなかで、ユーザにとって現在興味のあるウェブページをテレビを見るような感覚で、受動的に見て楽しみことが可能になる。
【００１５】
（２）  前記サーバ装置へ送信するステップでは、前記ウェブページが前記ユーザ端末にランダムに選択され、表示される場合に、前記ユーザが前記ブックマーク登録を所望したウェブページが表示されている間に、ブックマークが選択されることで、前記ＵＲＬ情報が前記サーバ装置へ送信されることを特徴とする（１）に記載のウェブページ配信方法。
【００１６】
このようにして、（２）に係る発明によれば、ランダムにウェブページが表示されている状態で、ユーザが登録を所望したウェブページが表示されたタイミングで、ブックマークが選択されることで、このウェブページのＵＲＬ情報を送信するため、ブックマーク機能の利便性が向上され、簡単かつ迅速に所望のコンテンツ（目的のブックマークに関するウェブページ）をテレビを見るような感覚で抽出することが可能になる。
【００１７】
（３）  前記分類するステップでは、前記カテゴリ情報を予め定められた数まで前記ＵＲＬ情報に基づいて作成し、前記ＵＲＬ情報に基づいて作成された前記カテゴリ情報の数が前記予め定められた数を超えた場合には、新たに予備カテゴリ情報を作成し、前記カテゴリ情報のなかで前記カテゴリ情報に分類された前記ＵＲＬ情報の数が最も少ない前記カテゴリ情報を前記予備カテゴリ情報に含めることを特徴とする（１）または（２）に記載のウェブページ配信方法システム。
【００１８】
（３）に係る発明によれば、カテゴリを無制限に増やすことなく、適切な数のカテゴリ数を維持することで、全体の情報をユーザが容易に把握することができる。また、ユーザにとって理解し易く、容易に把握できる表示スケジュール情報を決定（生成）することができる。
【００１９】
（４）  前記分類するステップでは、前記予備カテゴリに含まれる、前記ＵＲＬ情報の数が最も多い前記カテゴリ情報と、前記予備カテゴリ情報に含まれない、前記ＵＲＬ情報の数が最も少ない前記カテゴリ情報とを比較し、前記予備カテゴリ情報に含まれない前記カテゴリ情報の前記ＵＲＬ情報の数が少ない場合には、前記予備カテゴリ情報に含まれる前記カテゴリ情報と前記予備カテゴリ情報に含まれない前記カテゴリ情報とを交換することを特徴とする（３）記載のウェブページ配信方法。
【００２０】
（４）に係る発明によれば、一旦、予備カテゴリ情報（例えばゴミ箱としてのカテゴリ）に分類されたカテゴリ情報であっても、そのカテゴリ情報に属するＵＲＬ情報がブックマークとして新たに追加されていけば、予備カテゴリ情報に分類されていないカテゴリ情報と置き換える（属するＵＲＬ情報が少ないと判断されたカテゴリ情報は、新たに予備カテゴリ情報に分類されることになる）ことで、ユーザが関心を持つカテゴリ情報を予備カテゴリ情報から独立させて、ユーザにとって見やすく、早く選択しやすい表示スケジュール情報とすることが可能になる。
【００２１】
（５）  前記分類するステップでは、前記カテゴリ内の前記ＵＲＬ情報に基づいて副カテゴリ情報を抽出し、抽出された前記副カテゴリ情報が少なくとも二つ以上になった場合には、前記カテゴリ情報内に前記副カテゴリ情報を生成することを特徴とする（１）乃至（４）の何れか一項に記載のウェブページ配信方法。
【００２２】
（５）に係る発明によれば、カテゴリ情報内にさらに記副カテゴリ情報を作成し、カテゴリ情報をツリー状に形成することが可能になるので、ユーザはウェブページを見ながら、カテゴリ情報の構成を想像し、表示されるウェブページを把握することが可能になる。
【００２３】
（６）  前記分類するステップでは、前記カテゴリ情報を前記ＵＲＬ情報に対応する前記ウェブページからＴＦ（Ｔｅｒｍ  Ｆｒｅｑｕｅｎｃｙ）ＩＤＦ（Ｉｎｖｅｒｓｅ  Ｄｏｃｕｍｅｎｔ  Ｆｒｅｑｕｅｎｃｙ）によって特定される特徴的な単語に基づいて作成することを特徴とする（１）乃至（５）の何れか一項に記載のウェブページ配信方法。
【００２４】
（６）に係る発明によれば、このように、ＵＲＬ情報分類部１２は、複数のＵＲＬ情報に共通するカテゴリ情報をＴＦ・ＩＤＦによって自動的に生成することが可能である。しかも、複数のＵＲＬ情報に共通するカテゴリ情報をユーザによる判断に委ねないので客観的に、効率よく、高速に生成することが可能になる。
【００２５】
（７）  前記分類するステップでは、前記カテゴリ情報に分類された前記ＵＲＬ情報および前記予備カテゴリ情報に分類された前記ＵＲＬ情報が送信された時刻から予め定められた時間が経過すると、前記ＵＲＬ情報を削除することを特徴とする（１）乃至（６）の何れか一項に記載のウェブページ配信方法。
【００２６】
（７）に係る発明によれば、時間が経って、ユーザにとって興味が失われつつあるＵＲＬ情報が自動的に削除されるので、ＵＲＬ情報を含む表示スケジュール情報が常に整理され、ユーザにとってその時に興味がある新鮮な情報で構成されることが可能になる。
【００２７】
（８）  ユーザ端末と、ウェブページを配信するウェブサーバと、サーバ装置と、が互いにネットワークを介して接続され構成されるウェブページ配信システムであって、
前記ユーザ端末は、ブックマーク登録を所望したウェブページのＵＲＬ情報を受け付け、前記ＵＲＬ情報を前記サーバ装置へ送信するＵＲＬ情報送信手段を備え、
前記サーバ装置は、前記ＵＲＬ情報を受信し、前記受信したＵＲＬ情報を、ウェブページの特徴を示すカテゴリごとに分類する分類手段を備え、
前記ユーザ端末は、前記カテゴリごとに分類された前記ＵＲＬ情報と、前記ユーザ端末に表示する順番を決定する表示スケジュール情報とを対応付けて、前記表示スケジュールに基づいて、前記ＵＲＬ情報に対応したウェブページを表示することを特徴とするウェブページ配信システム。
【００２８】
（８）に係る発明によれば、ユーザ端末３０は、ユーザがブックマーク登録を所望したウェブページのＵＲＬ情報であって、当該ＵＲＬ情報を受け付け、ＵＲＬ情報をサーバ装置へ送信し、サーバ装置は、ＵＲＬ情報を受信し、受信したＵＲＬ情報を、ウェブページの特徴を示すカテゴリごとに分類し、カテゴリごとに分類されたＵＲＬ情報と、ユーザ端末３０に表示する順番を決定する表示スケジュールとを対応付けて、ユーザ端末は、前記表示スケジュールに基づき前記ＵＲＬ情報に対応したウェブページを表示する。
【００２９】
このようにして、（８）に係る発明によれば、ユーザは、ブックマークするだけで、ウェブページのチャンネルを構成し、視認することが可能となるため、ウェブページを受動的に視認することができる。さらに、登録されたブックマークは、カテゴリに分類されるため、表示したいカテゴリに応じたウェブページを視認することができる。さらに、ブックマークをするだけで、好みのウェブページの最新のページを視認することができるので、コンピュータの操作に不慣れな初心者であっても簡単かつ迅速に所望のコンテンツ（目的のブックマークに関するウェブページ）をテレビを見るような感覚で扱うことが可能になる。
【００３０】
すなわち、ネットワークを介して表示されるウェブページのなかで、ユーザにとって現在興味のあるウェブページをテレビを見るような感覚で、受動的に見て楽しみことが可能になる。
【００３１】
（９）  （１）乃至（７）の何れかに記載の方法をコンピュータに実行させることを特徴とするプログラム。
【００３２】
このような構成によれば、当該プログラムをコンピュータに実行させることにより、（１）乃至（７）と同様の効果が期待できる。
【発明の効果】
【００３３】
本発明によれば、ネットワークを介して表示されるウェブページのなかで、ユーザにとって現在興味のあるウェブページをテレビを見るような感覚で、受動的に見て楽しみことが可能になる。
【発明を実施するための最良の形態】
【００３４】
以下、本発明の実施形態について図１を参照しながら説明する。
【００３５】
［システム全体構成］
【００３６】
図１には、本実施形態に係るサーバ装置としてのサーバ１０と、ＵＲＬ情報に基づいて、ウェブページを配信するウェブサーバ５０と、ユーザ端末としてのユーザ端末３０とから構成されるウェブページ配信システム１を示す。なお、図１においては、ウェブページ配信システム１は、サーバ１０と、ユーザ端末３０とがそれぞれ一つずつで示されているが、これに限られず、それぞれ複数台で構成されていてもよい。
【００３７】
サーバ１０は、図２に示すように、制御部３００を構成するＣＰＵ（Ｃｅｎｔｒａｌ  Ｐｒｏｃｅｓｓｉｎｇ  Ｕｎｉｔ）３１０（マルチプロセッサ構成ではＣＰＵ３２０等複数のＣＰＵが追加されてもよい）、バスライン２００、通信Ｉ／Ｆ（Ｉ／Ｆ：インタフェース）３３０、メインメモリ３４０、ＢＩＯＳ（Ｂａｓｉｃ  Ｉｎｐｕｔ  Ｏｕｔｐｕｔ  Ｓｙｓｔｅｍ）３５０、Ｉ／Ｏコントローラ３６０、ハードディスク３７０、光ディスクドライブ３８０、並びに半導体メモリ３９０を備える。なお、ハードディスク３７０、光ディスクドライブ３８０、並びに、半導体メモリ３９０はまとめて記憶装置４１０と呼ばれる。
【００３８】
制御部３００は、サーバ１０を統括的に制御する部分であり、ハードディスク３７０に記憶された各種プログラムを適宜読み出して実行することにより、上述したハードウェアと協働し、本発明に係る各種機能を実現している。
【００３９】
通信Ｉ／Ｆ３３０は、サーバ１０が、ネットワークを介してユーザ端末３０等の他の装置と情報を送受信する場合のネットワーク・アダプタである。
【００４０】
ＢＩＯＳ３５０は、サーバ１０の起動時にＣＰＵ３１０が実行するブートプログラムや、サーバ１０のハードウェアに依存するプログラム等を記録する。
【００４１】
Ｉ／Ｏコントローラ３６０には、ハードディスク３７０、光ディスクドライブ３８０、及び半導体メモリ３９０等の記憶装置４１０を接続することができる。
【００４２】
ハードディスク３７０は、本ハードウェアをサーバ１０として機能させるための各種プログラム、本発明の機能を実行するプログラム及び後述するテーブル等を記憶する。なお、サーバ１０は、外部に別途設けたハードディスク（図示せず）を外部記憶装置として利用することもできる。
【００４３】
光ディスクドライブ３８０としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク４００を使用する。光ディスク４００から光ディスクドライブ３８０によりプログラム又はデータを読み取り、Ｉ／Ｏコントローラ３６０を介してメインメモリ３４０又はハードディスク３７０に提供することもできる。
【００４４】
なお、本発明でいうコンピュータとは、記憶装置、制御部等を備えた情報処理装置をいい、サーバ１０は、記憶装置４１０、制御部３００等を備えた情報処理装置により構成される。
【００４５】
ユーザ端末３０は図２に示されたサーバ１０と同様の構成を備える（詳細は省略する）。
【００４６】
但し、本実施形態のユーザ端末３０には図２に示された構成の他にユーザインターフェースである入力手段としての入力部を含む表示手段としての表示スケジュール情報表示部２０が備えられている。
【００４７】
この入力部は、マウス、キーボードまたはＤＶＤ等の情報再生機器のリモコンで構成することが可能である。
【００４８】
また、本発明に係るサーバ１０は、上述のような構成を有することにより、ユーザが（リモコン、マウス等のユーザインターフェースを介して）ブックマーク登録を所望するウェブページに対応するＵＲＬ情報を受信し、複数のＵＲＬ情報を分類し、分類されたＵＲＬ情報を順番に並べて表示する順番を決定する、表示スケジュール情報（ウェブマイチャンネル情報）とし、ウェブマイチャンネル情報をユーザ端末３０から送信要求された場合には、サーバ装置はウェブマイチャンネル情報をユーザ端末３０に送信し、ユーザ端末３０はウェブマイチャンネル情報に基づき前記ウェブページを表示すべき表示手段へＵＲＬ情報を送信し、表示手段にウェブページを表示させる機能を有している。
【００４９】
ここで、当該機能を発揮するための構成について、図３に示す機能ブロック図を用いて説明する。サーバ１０は、分類手段の一部としてのＵＲＬ情報受信部１１と、分類手段の一部としてのＵＲＬ情報分類部１２と、表示スケジュール送信手段の一部としての表示スケジュール情報決定部１３と、表示スケジュール情報送信要求受付部１４と、表示スケジュール送信手段の一部としての表示スケジュール情報送信部１５と、を備える。
【００５０】
ユーザ端末３０は、ＵＲＬ情報送信手段の一部としてのブックマーク受付部１７と、ＵＲＬ情報送信手段の一部としてのＵＲＬ情報送信部１８と、表示スケジュール情報要求部１９と、表示スケジュール情報送信部２０から送信された表示スケジュール情報に基づいてウェブページを表示する表示手段としての表示スケジュール情報表示部２０と、を備える。
【００５１】
また、マークブックマーク登録を所望するウェブページに対応するＵＲＬ情報を送信するリモコン、マウス、キーボード等のユーザインターフェースである入力手段としての入力部が表示スケジュール情報表示部２０に含まれる。
【００５２】
最初にサーバ１０の各機能ブロックについて説明する。
【００５３】
ＵＲＬ情報受信部１１は、ユーザ端末３０のＵＲＬ情報送信部１８から送信されたＵＲＬ情報を受信する機能を有する。
【００５４】
すなわち、ＵＲＬ情報受信部１１は、ユーザがユーザ端末３０に表示された画像情報としてのウェブページを見ながらウェブページに対応するＵＲＬ情報をユーザ端末３０のリモコン、マウス等のユーザインターフェースを介して、選択、送信（ユーザ端末３０のＵＲＬ情報送信部３０を介して）し、または、テキスト情報としてのウェブページに対応するＵＲＬ情報を入力、送信（ユーザ端末３０のＵＲＬ情報送信部３０を介して）した場合に、それらの送信されたＵＲＬ情報を受信する。
【００５５】
ＵＲＬ情報分類部１２は、カテゴリ情報を予め定められた数（一例として１０個）までＵＲＬ情報に基づいて作成し、ＵＲＬ情報に基づいて作成されたカテゴリ情報の数が予め定められた数を超えた場合には、新たに予備カテゴリ情報（例えばゴミ箱としてのカテゴリ）を作成し、カテゴリ情報のなかでカテゴリ情報に分類されたＵＲＬ情報の数が最も少ないカテゴリ情報を予備カテゴリ情報に含める（ＵＲＬ情報の少ないカテゴリをゴミ箱に移動する）機能を有する。
【００５６】
このようにＵＲＬ情報分類部１２を機能させることで、カテゴリ情報を無制限に増やすことなく、適切な数のカテゴリ情報の数を維持することで、全体の情報をユーザが容易に把握することができる。また、ユーザにとって理解し易く、容易に把握できる表示スケジュール情報を決定（生成）することができる。
【００５７】
ＵＲＬ情報分類部１２は、予備カテゴリ情報に含まれる、ＵＲＬ情報の数が最も多いカテゴリ情報のＵＲＬ情報の数が、予備カテゴリ情報に含まれない、ＵＲＬ情報の数が最も少ないカテゴリ情報のＵＲＬ情報の数よりも大きい場合には、予備カテゴリ情報に含まれるカテゴリ情報と予備カテゴリ情報に含まれないカテゴリ情報とを交換する機能を有する。
【００５８】
このようにＵＲＬ情報分類部１２を機能させることで、一旦、予備カテゴリ情報（例えばゴミ箱としてのカテゴリ）に分類されたカテゴリ情報であっても、そのカテゴリ情報に属するＵＲＬ情報がブックマークとして新たに追加されていけば、予備カテゴリ情報に分類されていないカテゴリ情報と置き換える（属するＵＲＬ情報が少ないと判断されたカテゴリ情報は、新たに予備カテゴリ情報に分類されることになる）ことで、ユーザが関心を持つカテゴリ情報を予備カテゴリ情報から独立させて、ユーザにとって見やすく、早く選択しやすい情報とすることが可能になる。
【００５９】
ＵＲＬ情報分類部１２は、カテゴリ情報内のＵＲＬ情報に基づいて副カテゴリ情報を抽出し、抽出された副カテゴリ情報が少なくとも二つ以上になった場合には、カテゴリ情報内に副カテゴリ情報を生成し、副カテゴリ情報に分類されるべきＵＲＬ情報を副カテゴリ情報に分類する機能を有する。
【００６０】
一例として、カテゴリ情報に“グルメ”が有った場合に、カテゴリ情報“グルメ”に分類される複数のＵＲＬ情報が、“グルメ”を更に細分化した“中華料理”、“日本料理”という副カテゴリとして抽出される場合には、カテゴリ情報“グルメ”内に更に細分化された副カテゴリ情報として、“中華料理”および“日本料理”が生成される。
【００６１】
このようにして、副カテゴリ情報“中華料理”および“日本料理”に分類されるべきＵＲＬ情報が新たにブックマークとして送信されてきた場合には、ＵＲＬ情報分類部１２は、そのあらたなＵＲＬ情報を副カテゴリ情報“中華料理”および“日本料理”に分類する。
【００６２】
このように、ＵＲＬ情報分類部１２は、複数のＵＲＬ情報に共通する副カテゴリ情報を自動的に生成することが可能である。また、カテゴリ情報内にさらに副カテゴリ情報を作成し、カテゴリ情報をツリー状に形成することが可能になるので、ユーザはウェブページを見ながら、カテゴリ情報の構成を想像し、表示されるウェブページを把握することが可能になる。
【００６３】
また、ＵＲＬ情報分類部１２は、カテゴリ情報をＵＲＬ情報に対応するウェブページからＴＦ（Ｔｅｒｍ  Ｆｒｅｑｕｅｎｃｙ）ＩＤＦ（Ｉｎｖｅｒｓｅ  Ｄｏｃｕｍｅｎｔ  Ｆｒｅｑｕｅｎｃｙ）によって特定される特徴的な単語に基づいて作成する機能を有する。
【００６４】
このように、ＵＲＬ情報分類部１２は、複数のＵＲＬ情報に共通するカテゴリ情報をＴＦ・ＩＤＦによって自動的に生成することが可能である。しかも、複数のＵＲＬ情報に共通するカテゴリ情報をユーザによる判断に委ねないので客観的に、効率よく、高速に生成することが可能になる。
【００６５】
ＵＲＬ情報分類部１２は、カテゴリ情報に分類されたＵＲＬ情報および予備カテゴリ情報に分類されたＵＲＬ情報が送信された時刻から予め定められた時間が経過すると、スケジュール情報記憶部１６からカテゴリ情報に分類されたＵＲＬ情報および予備カテゴリ情報に分類されたＵＲＬ情報を削除する機能を有する。
【００６６】
このように、時間が経って、ユーザにとって興味が失われつつあるＵＲＬ情報が自動的に削除されるので、ＵＲＬ情報を含む表示スケジュール情報が常に整理され、ユーザにとってその時に興味がある新鮮な情報で構成されることが可能になる。
【００６７】
また、ＵＲＬ情報分類部１２は、ＵＲＬ情報を含まなくなった、カテゴリ情報または副カテゴリ情報を削除するように構成することも可能である。
【００６８】
このように構成すれば、ＵＲＬ情報を含む表示スケジュール情報が常に整理され、コンパクトな情報となって、ユーザにとって扱いやすい情報となる。
【００６９】
表示スケジュール情報決定部１３は、ＵＲＬ情報分類部１２によってカテゴリ情報に分類されたＵＲＬ情報をユーザ端末３０に表示する順番を示す表示スケジュール情報として決定し、表示スケジュール情報を前記スケジュール情報データベース１６に記憶する。
【００７０】
ここで表示スケジュール情報は、ウェブマイチャンネルとも呼び、ユーザが自分で分類することなく、サーバ装置によってユーザのお気に入りのウェブページが整然と分類されたものである（図５および図６参照）。
【００７１】
表示スケジュール情報送信要求受付部１４は、ユーザ端末３０であるユーザ端末からの表示スケジュール情報の送信要求情報を受け付ける機能を有する。
【００７２】
すなわち、表示スケジュール情報送信要求受付部１４は、ユーザがウネットワーク経由でウェブページを鑑賞したいと思った場合に、ユーザがかつて登録したウェブページを呼び出すためにユーザ端末３０を操作することで要求される。
【００７３】
ユーザが登録したウェブページとしてのＵＲＬ情報を含む表示スケジュール情報の送信要求を受け付ける。
【００７４】
この場合、表示スケジュール情報送信要求受付部１４は、ユーザを識別するためにユーザＩＤ（Ｉｄｅｎｔｉｆｉｃａｔｉｏｎ）情報を受け付ける。
【００７５】
表示スケジュール情報送信要求を受け付けると、表示スケジュール情報送信要求受付部１４はスケジュール情報データベース１６に記憶されている表示スケジュール情報を読み出す。
【００７６】
この場合、スケジュール情報データベース１６に記憶されている表示スケジュール情報はユーザＩＤ情報に関連付けされているので、表示スケジュール情報送信要求受付部１４はユーザ端末３０から受け付けたユーザＩＤ情報に関連付けされた表示スケジュール情報をスケジュール情報データベース１６から読み出す。
【００７７】
表示スケジュール情報送信部１５は、スケジュール情報データベース１６に記憶された表示スケジュール情報をユーザ端末３０であるユーザ端末へ送信する機能を有する。
【００７８】
すなわち、表示スケジュール情報送信部１５は、表示スケジュール情報送信要求受付部１４がスケジュール情報データベース１６から読み出したユーザＩＤ情報に関連づけされた表示スケジュール情報、または表示スケジュール情報に基づいたＵＲＬ情報をユーザ端末３０へ送信する。
【００７９】
表示スケジュール情報送信部１５が送信する情報は、表示スケジュール情報に含まれるカテゴリ毎にそのカテゴリに属するＵＲＬ情報を順番にユーザ端末３０に送信して、ＵＲＬ情報に対応するウェブページをユーザ端末３０がウェブサーバ５０から受信して、順番に表示させる。このように、ユーザ端末３０が、ＵＲＬ情報に基づいてウェブサーバ５０にアクセスして、ウェブページを取得するため、アクセス時である最新のウェブページを取得し、ユーザ端末３０に表示することが可能である。
【００８０】
または表示スケジュール情報の全部または表示スケジュール情報を分割してユーザ端末３０に送信してもよい。
【００８１】
表示スケジュール情報送信部１５が、表示スケジュール情報に含まれるカテゴリ毎にＵＲＬ情報をユーザ端末３０に送信する場合には、最も新しく生成されたカテゴリ順、最も古く生成されたカテゴリ順、最近アクセスされたＵＲＬ情報を含むカテゴリ順またはＵＲＬ情報へのアクセス件数が多いＵＲＬ情報（一つのカテゴリに含まれるＵＲＬ情報への総アクセス件数の場合もある）を含むカテゴリ順に送信することができる。また、これらの順番は表示スケジュール情報に反映されてもよい。
【００８２】
また、一つのカテゴリにおける複数のＵＲＬ情報の送信順序は、最も新しく分類されたＵＲＬ情報順、最も古く分類されたＵＲＬ情報順、最近アクセスされたＵＲＬ情報順またはアクセス件数が最も多いＵＲＬ情報順に送信することができる。また、これらの順番は表示スケジュール情報に反映されてもよい。
【００８３】
次に、ユーザ端末３０の各機能ブロックについて説明する。
【００８４】
ブックマーク受付部１７は、ユーザがブックマーク登録を所望するウェブページに対応するＵＲＬ情報を受け付ける機能を有する。
【００８５】
ユーザがリモコン、マウス等のユーザインターフェースを介して、インターネット等のネットワークを介して表示された画像情報としてのウェブページを見ながらウェブページに対応するＵＲＬ情報を選択（ブックマークボタン等を含むユーザインターフェース）し、送信する。
【００８６】
そして、送信されたＵＲＬ情報をユーザ端末３０のブックマーク受付部１７が受け付ける。
【００８７】
この場合には、ユーザ端末３０のブックマーク受付部１７へＵＲＬ情報を送信する表示スケジュール情報表示部２０には、制御情報を送信するリモコン、マウス等のユーザインターフェースが含まれ、ユーザインターフェースに含まれるブックマークボタンが選択されるとＵＲＬ情報が送信される。
【００８８】
このようにすれば、ユーザはインターネット等のネットワークを介して表示された画像情報としてのウェブページを見ながら、ユーザが気に入ったウェブページが表示されている最中にブックマークボタンを選択すれば、ユーザが気に入ったウェブページに関するＵＲＬ情報が自動的に送信され、分類され、ウェブマイチャンネルとも呼ばれる表示スケジュール情報が自動的に生成される。
【００８９】
また、ユーザはテキスト情報としてのウェブページに対応するＵＲＬ情報をユーザ端末３０等の情報処理機器を用いて入力、送信し、それらの送信されたＵＲＬ情報をブックマーク受付部１７が受け付けることもできる。
【００９０】
ＵＲＬ情報送信部１８はブックマーク受付部１７で受け付けたＵＲＬ情報をサーバ装置としてのサーバ１０へ送信する機能を有する。
【００９１】
表示スケジュール情報要求部１９は、ＵＲＬ情報を基に決定された表示スケジュール情報（ウェブマイチャンネル）の送信をサーバ装置であるサーバ１０へ要求する機能を有する。
【００９２】
ユーザがインターネット等のネットワークを介してウェブページを表示スケジュール情報表示部２０に表示させ、分類されたＵＲＬ情報を有する表示スケジュール情報（ウェブマイチャンネル）に基づいてウェブページを選択する場合等に表示スケジュール情報の送信を要求する。
【００９３】
表示スケジュール情報表示部２０は、サーバ装置としてのサーバ１０から送信された表示スケジュール情報を受信し、表示スケジュール情報に基づき表示スケジュール情報の順番に従って、当該スケジュール情報に含まれるＵＲＬ情報に対応するウェブサーバ５０にアクセスして、ウェブページを順番に表示する機能を有する。また、これらの順番は表示スケジュール情報に反映されてもよい。
【００９４】
表示スケジュール情報送信部１５が、表示スケジュール情報に含まれるカテゴリ毎に順番にそのカテゴリに属するＵＲＬ情報をユーザ端末３０に送信した場合には、表示スケジュール情報表示部２０は、送信された順番にＵＲＬ情報に対応するウェブページを表示するだけではなく、表示スケジュール情報表示部２０が表示されるべきウェブページの順番を変更することもできる。また、これらの順番は表示スケジュール情報に反映されてもよい。
【００９５】
表示スケジュール情報表示部２０は、表示スケジュール情報の順番に従って、当該スケジュール情報に含まれるＵＲＬ情報に対応するウェブサーバ５０にアクセスして、ウェブページを表示する他に、表示スケジュール情報送信部１５とは独立に、最も新しく生成されたカテゴリ順、最も古く生成されたカテゴリ順、最近アクセスされたＵＲＬ情報を含むカテゴリ順、ＵＲＬ情報へのアクセス件数が多いＵＲＬ情報（一つのカテゴリに含まれるＵＲＬ情報への総アクセス件数の場合もある）含むカテゴリ順に表示することができる。
【００９６】
この場合、表示スケジュール情報表示部２０は、ＵＲＬ情報を含むカテゴリ情報を記憶部（図示せず）に記憶しておくことが可能である。
【００９７】
また、一つのカテゴリ毎にまためて複数のＵＲＬ情報が表示スケジュール情報送信部１５から送信された場合には、表示スケジュール情報表示部２０は、最も新しく分類されたＵＲＬ情報順、最も古く分類されたＵＲＬ情報順、最近アクセスされたＵＲＬ情報順、アクセス件数が最も多いＵＲＬ情報順にウェブページを表示することができる。
【００９８】
この場合にも、表示スケジュール情報表示部２０は、ＵＲＬ情報を含むカテゴリ情報を記憶部（図示せず）に記憶しておくことが可能である。
【００９９】
さらに、表示スケジュール情報表示部２０は、表示スケジュール情報の全部または表示スケジュール情報を分割して送信されてきた場合には、送信されてきた順番にＵＲＬ情報に対応するウェブページを表示してもよく、また、一旦、記憶部に記憶して任意の順番にＵＲＬ情報に対応するウェブページを表示してもよい。
【０１００】
さらに、ユーザ端末であるユーザ端末３０の表示スケジュール情報表示部２０の一部を、ＤＶＤプレイヤー、ＣＤプレイヤー、ＨＤプレイヤー等の情報再生機器に使用されるリモコンとする構成にすることも可能である。
【０１０１】
情報再生機器に使用されるリモコンは、リモコンの再生状態（再生モード）で表示スケジュール情報に含まれるウェブページが表示されるべき制御信号が送信される再生制御送信手段（再生ボタン等の再生スイッチ）と、早送り状態（早送りモード）でウェブページが早送り表示されるべき制御信号が送信される早送り制御送信手段（早送りボタン等の早送りスイッチ）と、巻き戻し状態（巻き戻しモード）でウェブページが後戻り表示されるべき制御信号が送信される後戻り制御送信手段（後戻りボタン等の後戻りスイッチ）と、録画状態（録画モード）で前記ＵＲＬ情報を前記ブックマーク情報として受け付け、前記サーバ装置へ送信する録画制御送信手段（録画ボタン等の録画スイッチ）として機能する。
【０１０２】
これは、情報再生機器に使用されるリモコンから放出される赤外線等の無線信号をユーザ端末３０で検知し、再生ボタン等の再生スイッチ信号、早送りボタン等の早送りスイッチ信号、後戻りボタン等の後戻りスイッチ信号、録画ボタン等の録画スイッチ信号を変換することで、各機能を実行可能な信号とすることが可能になる。
【０１０３】
再生とは、表示スケジュール情報に基づいて、ウェブページが順番に表示されることであり、静止画像のウェブページの場合は、所定時間（例えば１０秒から２０秒等）一のウェブページを表示して、所定時間経過後に、次のウェブページを表示するような態様であってよい。また、動画画像の場合は、動画再生を通常の再生時間で表示する。早送りとは、この再生に対して、早送りを行うため、静止画像のウェブページの場合は、再生の所定時間を短くする（例えば３秒から５秒）態様であってよいし、動画画像の場合は、動画再生を早送りする態様であってよい。後戻りとは、表示スケジュールに基づいて順番に表示されるウェブページが、この順番とは逆の順番で表示される態様である。
【０１０４】
このように、ウェブページ配信システムに情報再生機器に使用されるリモコンを使用することができるので、ブックマーク機能の利便性が向上され、登録されたブックマークの中から、コンピュータの操作に不慣れな初心者であっても簡単かつ迅速に所望のコンテンツ（目的のブックマークに関するウェブページ）をテレビを見るような感覚で自動的に抽出することが可能になる。
【０１０５】
すなわち、ネットワークを介して表示されるウェブページのなかで、ユーザにとって現在興味のあるウェブページをテレビを見るような感覚で、受動的に見て楽しみことが可能になる。
【０１０６】
［処理手順］
【０１０７】
ここで、本発明を適用した場合において実現され得る具体的な処理手順について、図４に示すフローチャートを参照して説明する。なお、以下に示す処理手順は、一例であってこれ以外にも実現され得る処理手順は無数に存在する。
【０１０８】
ステップＳ１において、ユーザ端末３０のブックマーク受付部１７は、リモコンのブックマークボタンによって選択された表示スケジュール情報表示部２０に表示されたウェブページに対応するＵＲＬ情報をブックマーク情報として受け付ける。
【０１０９】
この前提として、サーバ１０が、ウェブページをランダムに選択して、ユーザ端末３０に表示していてよい。すなわち、ブックマーク情報を受け付けるためのウェブページが、サーバ１０から配信されていてよい。この場合は、サーバ１０は、任意の基準でＵＲＬ情報を選択し、ウェブサーバ５０からウェブページを取得し、そのウェブページをユーザ端末３０に送信して、ユーザ端末３０がウェブページを表示する。
【０１１０】
そして、ＵＲＬ情報送信部１８はブックマーク受付部１７で受け付けたＵＲＬ情報をサーバ装置としてのサーバ１０へ送信する。
【０１１１】
ステップＳ２において、サーバ装置としてのサーバ１０のＵＲＬ情報受信部１１は、ユーザ端末３０のＵＲＬ情報送信部１８から送信されたＵＲＬ情報を受信する。
【０１１２】
ステップＳ３において、サーバ装置としてのサーバ１０のＵＲＬ情報分類部１３は、ステップＳ２において受信したＵＲＬ情報をＴＦ・ＩＤＦ等の方法により抽出された特徴的な単語であるキーワードによってカテゴリ毎に分類する。
【０１１３】
ステップＳ４において、表示スケジュール情報決定部１３は、ＵＲＬ情報分類部１２によってカテゴリ情報に分類されたＵＲＬ情報をユーザ端末３０に表示する順番を決定する表示スケジュール情報として決定（生成）し、表示スケジュール情報をスケジュール情報データベース１６に記憶する。
【０１１４】
ここで表示スケジュール情報は、ウェブマイチャンネルとも呼び、ユーザが自分で分類することなく、サーバ装置によってユーザのお気に入りのウェブページが整然と分類されて、（決定）生成されたたものである（図５および図６参照）。
【０１１５】
ステップＳ５において、サーバ装置としてのサーバ１０の表示スケジュール情報送信部１５は、スケジュール情報データベース１６に記憶された表示スケジュール情報をユーザ端末３０であるユーザ端末へ送信する。
【０１１６】
表示スケジュール情報を受信したユーザ端末３０は表示スケジュール情報表示部２０に表示スケジュール情報に従ってウェブページを順番に表示する。
【０１１７】
ユーザは、表示スケジュール情報表示部２０にユーザのお好みの順番に表示されるウェブページを見ながら、好きなウェブページが表示されたタイミングでリモコン等のユーザインターフェースでそのウェブページを選択し、ウェブページを静止画像情報として、またはウェブページが動画情報の場合には、選択したウェブページの動画を鑑賞することが可能になる。
【０１１８】
ウェブページが動画情報の場合には、表示スケジュール情報表示部２０は、表示スケジュール情報に基づいて表示される画像情報を、一連の動画情報の先頭ページ情報、動画情報のガイド情報、ハイライト画像情報と設定することが可能である。
【０１１９】
このように、本発明によれば、ネットワークを介して表示されるウェブページのなかで、ユーザにとって現在興味のあるウェブページをテレビを見るような感覚で、受動的に見て楽しみことが可能になる。
【０１２０】
［表示スケジュール情報の一例］
【０１２１】
次に、図５を用いて表示スケジュール情報の概念の一例を説明する。
【０１２２】
図５では、表示スケジュール情報に含まれるカテゴリ情報としてスポーツおよびグルメが表示され、予備カテゴリ情報としてゴミ箱が表示されている。
【０１２３】
表示スケジュール情報はユーザＩＤ情報毎に生成され、図５の表示スケジュール情報はユーザＩＤ情報が“ＡＡＡ”に関連付けられた表示スケジュール情報である。
【０１２４】
ユーザ端末３０の表示スケジュール情報表示部２０には、表示スケジュール情報および予備カテゴリ情報が表示されても表示されなくともよい。
【０１２５】
表示スケジュール情報に含まれるカテゴリ情報としてのスポーツ（チャネル１に設定されている）およびグルメ（チャネル２に設定されている）、予備カテゴリ情報としてゴミ箱（チャネル１１に設定されている）にはそれぞれ少なくとも一つ以上のＵＲＬ情報が関連付けられている。
【０１２６】
カテゴリ情報に関連付けられたＵＲＬ情報は、ユーザ端末３０の表示スケジュール情報表示部２０に送信される順番に関連付けられている。
【０１２７】
チャネル１に設定されたカテゴリ情報としてのスポーツには、表示順番１（ユーザ端末３０の表示スケジュール情報表示部２０にカテゴリ情報としてのスポーツの中では最初に送信される）としてＵＲＬ情報の“ｈｔｔｐ：／／ｗｗｗ．ｃｃｃ．ｃｏｍ”が関連付けられている。
【０１２８】
また、カテゴリ情報としてのスポーツには、表示順番２（ユーザ端末３０の表示スケジュール情報表示部２０にカテゴリ情報としてのスポーツの中では２番目に送信される）としてＵＲＬ情報の“ｈｔｔｐ：／／ｗｗｗ．ｆｆｆ．ｊｐ”が関連付けられている。
【０１２９】
同様に、チャネル２に設定されたカテゴリ情報としてのグルメには、表示順番１（ユーザ端末３０の表示スケジュール情報表示部２０にカテゴリ情報としてのグルメの中では最初に送信される）としてＵＲＬ情報の“ｈｔｔｐ：／／ｗｗｗ．ｄｄｄ．ｃｏｍ”が関連付けられている。
【０１３０】
また、カテゴリ情報としてのグルメには、表示順番２（ユーザ端末３０の表示スケジュール情報表示部２０にカテゴリ情報としてのグルメの中では２番目に送信される）としてＵＲＬ情報の“ｈｔｔｐ：／／ｗｗｗ．ｃｃｃ．ｋｐ”が関連付けられている。
【０１３１】
さらに、チャネル１１に設定されたカテゴリ情報としてのゴミ箱には、表示順番１（ユーザ端末３０の表示スケジュール情報表示部２０にカテゴリ情報としてのゴミ箱中では最初に送信される）としてＵＲＬ情報の“ｈｔｔｐ：／／ｅｅｅ．ｃｏｍ”が関連付けられている。
【０１３２】
また、カテゴリ情報としてのゴミ箱には、表示順番２（ユーザ端末３０の表示スケジュール情報表示部２０にカテゴリ情報としてのゴミ箱の中では２番目に送信される）としてＵＲＬ情報の“ｈｔｔｐ：／／ｗｗｗ．ｇｇｇ．ｃｒ”が関連付けられている。
【０１３３】
カテゴリ情報の数は、予め定められた個数だけ生成されるようになっている。これはカテゴリ情報の数が多くなりすぎるとユーザにとって、容易に所望のウェブページを探すことができなくなる可能性があるためである。
【０１３４】
例えば、カテゴリ情報の数の最大値を１０とし、予備カテゴリ情報としてのゴミ箱の数を１つに構成することが可能である。
【０１３５】
また、一つのカテゴリ情報または予備カテゴリ情報に属するＵＲＬ情報の数には制限を設けないが、ＵＲＬ情報が送信された時刻から予め定められた時間が経過したＵＲＬ情報を削除することで、不要なＵＲＬ情報が増加することを防ぐことが可能になる。
【０１３６】
また、ＵＲＬ情報が送信された時刻から予め定められた時間が経過する前に、ユーザがそのＵＲＬ情報をユーザ端末３０の表示スケジュール情報表示部２０に表示させ、選択した場合には、ユーザがそのＵＲＬ情報を選択した時刻を送信された時刻に書き換えることで、ユーザが興味を持っているＵＲＬ情報が削除されることを防止することが可能になる。
【０１３７】
次に、図６を用いて表示スケジュール情報の概念の一例としてスケジュール情報データベース１６に記憶されている状態を説明する。
【０１３８】
図６（ａ）は、ＤＶＤプレイヤー等の情報再生機器に使用されるリモコンをユーザ端末３０の表示スケジュール情報表示部２０等を制御する機器として使用した場合のイメージを示した図である。
【０１３９】
図６（ａ）のブックマークボタン２２をユーザが押下すると、押下された時に表示スケジュール情報表示部２０に表示されているウェブページ、ユーザＩＤ情報およびブックマーク時刻情報が、ユーザ端末３０のブックマーク受付部１７、ＵＲＬ情報送信部１８を介して、サーバ１０のＵＲＬ情報受信部１１に入力される。
【０１４０】
図６（ｂ）では、表示スケジュール情報に含まれるユーザＩＤ情報、ＵＲＬ情報、カテゴリ情報およびブックマーク時刻情報が関連付けられて表示されている。
【０１４１】
また、図６（ａ）のブックマークボタン２２がユーザに押下された場合には、ＵＲＬ情報受信部１１を介して、ウェブページ、ユーザＩＤ情報およびブックマーク時刻情報が関連付けられて、ＵＲＬ情報分類部１２に送信される。
【０１４２】
ＵＲＬ情報分類部１２は、送信されたウェブページからカテゴリ情報を生成し、生成されたカテゴリ情報と、ウェブページ、ユーザＩＤ情報およびブックマーク時刻情報とを関連付け（図６（ｂ））て、表示スケジュール情報決定部１３へ送信する。
【０１４３】
表示スケジュール情報決定部１３は、チャネル番号情報、表示順番等の情報、カテゴリ情報、ウェブページ、ユーザＩＤ情報およびブックマーク時刻情報とを関連付けて表示スケジュール情報として決定し、スケジュール情報データベース１６に記憶する。
【０１４４】
［表示スケジュール情報の表示方法の一例］
【０１４５】
図７は、サーバ１０で作成された表示スケジュール情報をユーザ端末３０の表示スケジュール情報表示部２１で表示させる表示方法の一例を示す図である。
【０１４６】
表示スケジュール情報をユーザ端末３０の表示スケジュール情報表示部２１で受信し、図６（ａ）で説明したリモコンの再生ボタン２４をユーザが選択すると、図５で説明した表示スケジュール情報に従って、ウェブページが順番に表示される。
【０１４７】
図７のリモコンの再生ボタン２４をユーザが選択すると、最初に図７の上段左側に表示されているカテゴリ情報がスポーツである表示順番１のサッカーに関するウェブページが表示される。
【０１４８】
図７の上段左側に表示されているウェブページが動画情報である場合には、引き続きサッカーに関する動画情報がウェブページとして再生される。
【０１４９】
図７のリモコンの早送りボタン２５をユーザが選択すると、図７の上段左側に表示されているカテゴリ情報がスポーツである表示順番１のサッカーに関するウェブページの次のウェブページである表示順番２のマラソンに関するウェブページが表示される。
【０１５０】
なお、ウェブページが静止画像情報である場合には、早送りボタン２５をユーザが選択しなくとも、次のウェブページである静止画像情報が表示されるが、早送りボタン２５が選択されると、ウェブページの画像情報間の時間間隔が短くなり、次々と順番に次のウェブページが表示される。
【０１５１】
リモコンの早送りボタン２５をユーザが選択し続けると、図７の上段真ん中に表示されているカテゴリ情報がスポーツであるマラソンに関するウェブページから、次のウェブページである表示順番３の野球に関するウェブページが表示される。
【０１５２】
さらに、リモコンの早送りボタン２５をユーザが選択し続けると、図７の上段右側に表示されているカテゴリ情報がスポーツである野球に関するウェブページから、その次のカテゴリ情報がスポーツであるウェブページが次々と順番に表示される。
【０１５３】
さらに、リモコンの早送りボタン２５をユーザが選択し続けると、図７の下段左側に表示されているカテゴリ情報がグルメである中華料理に関するウェブページが表示され、その次に図７の下段真ん中に表示されているカテゴリ情報がグルメである日本料理に関するウェブページ、そして図７の下段右側に表示されているカテゴリ情報がグルメであるイタリア料理に関するウェブページとウェブページが早送りされる。
【０１５４】
また、ユーザが後戻りボタン２３を選択すると、上述して説明した図７の矢印で示されるウェブページの表示順番とは逆の順番でウェブページが表示される。
【０１５５】
また、ユーザが一時停止ボタン２６を選択すると、表示されているウェブページが動画情報の場合は、動画情報が静止し、静止画情報として表示され続け、表示されているウェブページが静止画情報の場合はその静止画情報が表示され続ける。
【０１５６】
このように、情報再生機器に使用されるリモコンから放出される赤外線等の無線信号をユーザ端末３０で検知し、再生ボタン等の再生スイッチ信号、早送りボタン等の早送りスイッチ信号、後戻りボタン等の後戻りスイッチ信号、録画ボタン等の録画スイッチ信号を変換することで、各機能を実行することが可能になる。
【０１５７】
他の実施形態として、サーバ１０が、表示スケジュール情報に基づいて、ウェブサーバ５０にアクセスし、ウェブページを受信して、このウェブページをユーザ端末３０に送信する態様であってもよい。すなわち、ユーザ端末３０が表示スケジュール情報をサーバ１０から受信し、ユーザ端末３０が表示スケジュール情報に基づいて、ウェブサーバ５０にアクセスして、ウェブページを表示する態様でなく、以下の態様であってもよい。
【０１５８】
サーバ１０が、表示スケジュール情報に基づいて、ウェブサーバ５０にアクセスし、ウェブページをウェブサーバ５０から受信した後に、このウェブページをユーザ端末３０に送信し、ユーザ端末３０にて、受信したウェブページを表示する態様であってもよい。サーバ１０は、表示スケジュール情報に基づいて、逐次、ＵＲＬ情報に該当するウェブサーバにアクセスして、ウェブページを受信し、ユーザ端末３０に、逐次、送信する態様であってよい。
【０１５９】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【０１６０】
なお、本実施形態においては、サーバ１０は、ハードディスク３７０及び光ディスクドライブ３８０を有する構成として説明したが、これに限られず、これらの駆動系を有さない構成、いわゆるゼロスピンドルによる構成であってもよい。このような構成の場合には、ハードディスク３７０に記憶される内容は、大容量の半導体メモリ３９０に記憶される。
【図面の簡単な説明】
【０１６１】
【図１】本実施形態に係るサーバと、ユーザ端末とから構成されるウェブページ配信システムを示す図である。
【図２】本発明に係るサーバの構成を示すブロック図である。
【図３】本実施形態に係るサーバの機能的な構成を示す機能ブロック図である。
【図４】本実施形態に係るサーバによる処理手順についての説明に供するフローチャートである。
【図５】本実施形態に係る表示スケジュール情報の一例を示す図である。
【図６】本実施形態に係る表示スケジュール情報の一例を示す図である。
【図７】本実施形態に係る表示スケジュール情報の表示方法の一例を示す図である。
【符号の説明】
【０１６２】
１  ウェブページ配信システム
１０  サーバ
１１  ＵＲＬ情報受信部
１２  ＵＲＬ情報分類部
１３  表示スケジュール情報決定部
１４  表示スケジュール情報送信要求受付部
１５  表示スケジュール情報送信部
１６  スケジュール情報データベース（ＤＢ）
３０  ユーザ端末
５０  ウェブサーバ
【図１】
2010092183.tif 000003
【図２】
2010092183.tif 000004
【図３】
2010092183.tif 000005
【図４】
2010092183.tif 000006
【図５】
2010092183.tif 000007
【図６】
2010092183.tif 000008
【図７】
2010092183.tif 000009